(57)【特許請求の範囲】
【請求項１】
筒状の杭体と、前記杭体の筒状の内面に密着して設けられたシート状の騒音低減材とを備え、前記騒音低減材は、前記杭体そのものの振動に伴って発生する放射音を低減するための制振材と、前記杭体の内部の反響音を低減するための吸音材とを有し、前記騒音低減材によって前記杭体の内部に筒状の空間が形成されていることを特徴とする騒音低減型杭。
【請求項２】
前記制振材と前記吸音材の少なくとも一方が生分解可能な材料からなることを特徴とする請求項１に記載の騒音低減型杭。
【請求項３】
前記生分解可能な材料は、段ボールであることを特徴とする請求項２に記載の騒音低減型杭。
【請求項４】
筒状の杭体の内部に、前記杭体そのものの振動に伴って発生する放射音を低減するための制振材と、前記杭体の内部の反響音を低減するための吸音材とからなる騒音低減材を設置する杭への騒音低減材の設置方法であって、
棒状の空気袋の外側に、前記騒音低減材を有するシート状材料を巻き付けて挿入体を形成し、
形成した前記挿入体を前記杭体の内部に挿入した後、前記空気袋に空気を入れて前記空気袋を膨張させることにより前記騒音低減材を前記杭体の内面に密着させることを特徴とする杭への騒音低減材の設置方法。
【請求項５】
棒状の空気袋の外側に、前記騒音低減材を有するシート状材料を巻き付けて挿入体を形成する一方、前記シート状材料の外表面に接着材を塗布しておき、
形成した前記挿入体を前記杭体の内部に挿入した後、前記空気袋に空気を入れて前記空気袋を膨張させることにより前記騒音低減材を前記接着材を介して前記杭体の内面に密着させ、
その後、前記杭体の内部から前記空気袋を除去することを特徴とする請求項４に記載の杭への騒音低減材の設置方法。
【請求項６】
前記制振材と前記吸音材の少なくとも一方が生分解可能な材料からなることを特徴とする請求項４または５に記載の杭への騒音低減材の設置方法。
【請求項７】
前記生分解可能な材料は、段ボールであることを特徴とする請求項６に記載の杭への騒音低減材の設置方法。
【発明の詳細な説明】
【技術分野】
【０００１】
本発明は、鋼管杭などの杭の打設時に発生する騒音を低減することのできる騒音低減型杭および杭への騒音低減材の設置方法に関するものである。
【背景技術】
【０００２】
従来、鋼管杭の打設時には、鋼管杭を打撃するハンマーと鋼管杭の接触音、鋼管杭そのものの振動に伴う放射音、鋼管杭内部の反響音の３種類の騒音が発生することが知られている。このうち、ハンマーと鋼管杭の接触音については、ハンマーが当たる鋼管杭の上端外周に防音用のカバーを設置する等の防音対策が実施されている（例えば、特許文献１〜６を参照）。
【０００３】
一方、鋼管杭そのものの振動に伴う放射音、鋼管杭内部の反響音への対策としては、例えば、吸音手段を装填した円柱状のブロックを鋼管杭の開口端部と中間部に配置する方法や（特許文献７を参照）、リング状の質量体と粘弾性体からなる防音装置を、杭の長手方向に所定の間隔をおいて杭の外側または内側に装着する方法（特許文献８を参照）などが知られている。しかしながら、放射音や反響音は鋼管杭全長にわたり発生するため、こうした方法によっても放射音や反響音を有効に低減することは難しい。
【先行技術文献】
【特許文献】
【０００４】
【特許文献１】特開２０１３−８７５２５号公報
【特許文献２】特開２０１０−１８０６８９号公報
【特許文献３】特開２００２−５４１３８号公報
【特許文献４】実用新案登録第３０２８５３４号公報
【特許文献５】特開昭５８−１０６０１６号公報
【特許文献６】実開平３−４０３３１号公報
【特許文献７】特開２０１２−１９７６１２号公報
【特許文献８】特開平１−１４２１２３号公報
【発明の概要】
【発明が解決しようとする課題】
【０００５】
このため、打設時の杭そのものの振動に伴う放射音と、杭内部の反響音を有効に低減することのできる技術の開発が求められていた。
【０００６】
本発明は、上記に鑑みてなされたものであって、打設時の杭そのものの振動に伴う放射音と、杭内部の反響音を有効に低減することのできる騒音低減型杭および杭への騒音低減材の設置方法を提供することを目的とする。
【課題を解決するための手段】
【０００７】
上記した課題を解決し、目的を達成するために、本発明に係る騒音低減型杭は、筒状の杭体と、前記杭体の内面に密着して設けられ、前記杭体そのものの振動に伴って発生する放射音を低減するための制振材と、前記杭体の内部の反響音を低減するための吸音材とを備えることを特徴とする。
【０００８】
また、本発明に係る他の騒音低減型杭は、上述した発明において、前記制振材と前記吸音材の少なくとも一方が生分解可能な材料からなることを特徴とする。
【０００９】
また、本発明に係る他の騒音低減型杭は、上述した発明において、前記生分解可能な材料は、段ボールであることを特徴とする。
【００１０】
また、本発明に係る杭への騒音低減材の設置方法は、筒状の杭体の内部に、前記杭体そのものの振動に伴って発生する放射音を低減するための制振材と、前記杭体の内部の反響音を低減するための吸音材とからなる騒音低減材を設置する杭への騒音低減材の設置方法であって、棒状の空気袋の外側に、前記騒音低減材を有するシート状材料を巻き付けて挿入体を形成し、形成した前記挿入体を前記杭体の内部に挿入した後、前記空気袋に空気を入れて前記空気袋を膨張させることにより前記騒音低減材を前記杭体の内面に密着させることを特徴とする。
【００１１】
また、本発明に係る他の杭への騒音低減材の設置方法は、上述した発明において、棒状の空気袋の外側に、前記騒音低減材を有するシート状材料を巻き付けて挿入体を形成する一方、前記シート状材料の外表面に接着材を塗布しておき、形成した前記挿入体を前記杭体の内部に挿入した後、前記空気袋に空気を入れて前記空気袋を膨張させることにより前記騒音低減材を前記接着材を介して前記杭体の内面に密着させ、その後、前記杭体の内部から前記空気袋を除去することを特徴とする。
【００１２】
また、本発明に係る他の杭への騒音低減材の設置方法は、上述した発明において、前記制振材と前記吸音材の少なくとも一方が生分解可能な材料からなることを特徴とする。
【００１３】
また、本発明に係る他の杭への騒音低減材の設置方法は、上述した発明において、前記生分解可能な材料は、段ボールであることを特徴とする。
【発明の効果】
【００１４】
本発明に係る騒音低減型杭によれば、筒状の杭体と、前記杭体の内面に密着して設けられ、前記杭体そのものの振動に伴って発生する放射音を低減するための制振材と、前記杭体の内部の反響音を低減するための吸音材とを備えるので、打設時の杭そのものの振動に伴う放射音と、杭内部の反響音を有効に低減することができるという効果を奏する。
【００１５】
また、本発明に係る他の騒音低減型杭によれば、前記制振材と前記吸音材の少なくとも一方が生分解可能な材料からなるので、周辺環境への負荷が少なく、杭体を撤去する場合にも廃棄物の縮減を図ることができるという効果を奏する。
【００１６】
また、本発明に係る他の騒音低減型杭によれば、前記生分解可能な材料は、段ボールであるので、騒音低減型杭を安価に得ることができるという効果を奏する。
【００１７】
また、本発明に係る杭への騒音低減材の設置方法によれば、筒状の杭体の内部に、前記杭体そのものの振動に伴って発生する放射音を低減するための制振材と、前記杭体の内部の反響音を低減するための吸音材とからなる騒音低減材を設置する杭への騒音低減材の設置方法であって、棒状の空気袋の外側に、前記騒音低減材を有するシート状材料を巻き付けて挿入体を形成し、形成した前記挿入体を前記杭体の内部に挿入した後、前記空気袋に空気を入れて前記空気袋を膨張させることにより前記騒音低減材を前記杭体の内面に密着させるので、打設時の杭そのものの振動に伴う放射音と、杭内部の反響音を有効に低減する騒音低減型杭を提供することができるという効果を奏する。また、棒状の空気袋を用いるため、杭径が小さく内部での作業が困難な杭にも適用することができるという効果を奏する。
【００１８】
また、本発明に係る他の杭への騒音低減材の設置方法によれば、棒状の空気袋の外側に、前記騒音低減材を有するシート状材料を巻き付けて挿入体を形成する一方、前記シート状材料の外表面に接着材を塗布しておき、形成した前記挿入体を前記杭体の内部に挿入した後、前記空気袋に空気を入れて前記空気袋を膨張させることにより前記騒音低減材を前記接着材を介して前記杭体の内面に密着させ、その後、前記杭体の内部から前記空気袋を除去するので、空気袋を除去した後も、杭体の内面に密着させた騒音低減材の形状を保持することができるという効果を奏する。
【００１９】
また、本発明に係る他の杭への騒音低減材の設置方法によれば、前記制振材と前記吸音材の少なくとも一方が生分解可能な材料からなるので、周辺環境への負荷が少なく、杭体を撤去する場合にも廃棄物の縮減を図ることができるという効果を奏する。
【００２０】
また、本発明に係る他の杭への騒音低減材の設置方法によれば、前記生分解可能な材料は、段ボールであるので、杭の長さに合わせた段ボール加工を現場で容易に行うことができるという効果を奏する。
【図面の簡単な説明】
【００２１】
【図１】図１は、本発明に係る騒音低減型杭の実施の形態を示す図であり、（１）は概略斜視図、（２）は側断面図、（３）は（２）のＡ−Ａ線に沿った断面図である。
【図２】図２は、本発明に係る騒音低減型杭の作用効果を従来技術と比較した図であり、（１）は本発明の場合、（２）は従来の場合の図である。
【図３】図３は、本発明に係る杭への騒音低減材の設置方法の実施の形態を示す工程１の図であり、（１）は側断面図、（２）は（１）のＢ−Ｂ線に沿った断面図である。
【図４】図４は、本発明に係る杭への騒音低減材の設置方法の実施の形態を示す工程２の図である。
【図５】図５は、本発明に係る杭への騒音低減材の設置方法の実施の形態を示す工程３の図である。
【図６】図６は、本発明に係る杭への騒音低減材の設置方法の実施の形態を示す工程４の図であり、（１）は概略斜視図、（２）は側断面図、（３）は（２）のＣ−Ｃ線に沿った断面図である。
【発明を実施するための形態】
【００２２】
以下に、本発明に係る騒音低減型杭および杭への騒音低減材の設置方法の実施の形態を図面に基づいて詳細に説明する。なお、この実施の形態によりこの発明が限定されるものではない。
【００２３】
［騒音低減型杭］
まず、本発明に係る騒音低減型杭の実施の形態について説明する。
【００２４】
図１に示すように、本発明に係る騒音低減型杭１０は、円筒状の杭体１２からなる鋼管杭１４と、杭の支持力に影響しない杭体１２の内面１２ａに密着して設けられた騒音低減材１６とを備える。騒音低減材１６は、制振材１６Ａと吸音材１６Ｂとからなる。後述するように、この騒音低減型杭１０は、本発明の杭への騒音低減材の設置方法によって製造することができる。
【００２５】
制振材１６Ａは、杭体１２そのものの振動に伴って発生する放射音を低減するためのものである。制振材１６Ａとしては、例えば金属、木質、ゴム、プラスチック等の樹脂、紙、段ボールあるいはこれらの混成材料を用いることができる。なお、制振材１６Ａは、これらの材料に限るものではなく、振動エネルギーを吸収する制振作用を有する材料であればいかなるもので構成してもよい。
【００２６】
吸音材１６Ｂは、杭体１２の内部の反響音を低減するためのものである。吸音材１６Ｂとしては、例えばグラスウール、ロックウール、ウレタン、不織布、段ボールあるいはこれらの混成材料を用いることができる。なお、吸音材１６Ｂは、これらの材料に限るものではなく、反響音を低減する吸音作用を有する材料であればいかなるもので構成してもよい。
【００２７】
さらに、制振材１６Ａ、吸音材１６Ｂを段ボール等の生分解性を持った素材で構成すれば周辺環境への負荷が少なく、杭体１２を撤去する場合にも廃棄物の縮減を図ることができる。
【００２８】
騒音低減材１６は、これら制振材１６Ａ、吸音材１６Ｂを混合した材料で構成してもよいし、制振材１６Ａ、吸音材１６Ｂをそれぞれシート状にしたものを貼り合わせて構成してもよい。騒音低減材１６は、接着材などを介して杭体１２の内面１２ａに密着して設置される。騒音低減材１６の設置範囲は、杭体１２の全長にわたり内周面（内面１２ａ）全体に隙間なく設置することが好ましいが、杭体１２の長尺方向所定の長さだけ設置するなど、部分的に設置しない箇所が存在してもよい。ただし、部分的に設置しない箇所が存在する場合の騒音低減効果は、全体に設置する場合よりも若干低下することとなる。
【００２９】
上記構成の動作および作用について説明する。
従来は、図２（２）に示すように、打設時の杭体１２そのものの振動に伴う放射音が外部に放たれて騒音となっていた。また、杭体１２の内部を伝搬する反響音は大きく、騒音源となっていた。
【００３０】
これに対し、本実施の形態によれば、図２（１）に示すように、杭体１２の内面１２ａに密着して設けた騒音低減材１６の制振材１６Ａが打設時の杭体１２そのものの振動を抑えることで、この振動に伴う放射音を低減する。一方、杭体１２の内面１２ａに密着して設けた騒音低減材１６の吸音材１２Ｂが内面１２ａの反射音を吸音することで、杭体１２内部の反響音を低減する。これにより、打設時の杭体１２そのものの振動に伴う放射音と、杭体１２内部の反響音を有効に低減することができる。
【００３１】
上記の実施の形態において、騒音低減材１６のうち制振材１６Ａと吸音材１６Ｂの少なくとも一方を段ボールで構成してもよい。段ボールは、波状に加工した紙を表裏の紙で挟んで接着して強度を持たせた構造であり、加工性に優れた安価な材料である。段ボールの波状の大きさ、形状、組合せ、積層枚数等を適宜調整することで、例えば、杭体１２の長さに合わせた段ボール加工を現場で容易に行うことができ、杭体１２内部への設置が容易になる。また、騒音低減性能の調整が可能となって、所期の騒音低減性能を有する騒音低減型杭１０を安価に得ることができる。
【００３２】
また、上記の実施の形態においては、鋼管杭１４の杭体１２が円筒状、すなわち円形断面の鋼管杭の場合について説明したが、角形断面の鋼管杭に適用することも可能であり、この場合も上記と同様の作用効果を奏することができる。
【００３３】
［杭への騒音低減材の設置方法］
次に、本発明に係る杭への騒音低減材の設置方法の実施の形態について説明する。
【００３４】
本発明に係る杭への騒音低減材の設置方法は、上記の本発明の騒音低減型杭１０を製造する方法に相当し、図１に示すように、筒状の杭体１２の内部に、杭体１２そのものの振動に伴って発生する放射音を低減するための制振材１６Ａと、杭体１２の内部の反響音を低減するための吸音材１６Ｂとからなる騒音低減材１６を設置する方法である。騒音低減材１６、制振材１６Ａ、吸音材１６Ｂについては、上記の騒音低減型杭１０の実施の形態で説明したものと同様であるので詳細な説明は省略する。
【００３５】
図３に示すように、本発明に係る杭への騒音低減材の設置方法は、まず、長尺棒状の空気袋１８の外側に、騒音低減材１６を外表面または内表面全体に貼付したシート状材料２０を同軸状に巻き付け、空気袋１８とシート状材料２０からなる挿入体２２を形成する。空気袋１８の端部には空気入れ用のバルブ付きチューブ２４を接続しておく。なお、この段階の空気袋１８は萎んだ形態をしているが、バルブ付きチューブ２４から空気を入れると拡径方向に膨張して円柱状の形態に変形する。本実施の形態では、空気袋１８とシート状材料２０の長尺方向の長さは、騒音低減対象の杭体１２の長さと同じにしている。
【００３６】
シート状材料２０は、萎んだ空気袋１８に巻き付けた状態で杭体１２の開口部から内部に挿入できる大きさとする。さらに、このシート状材料２０は、後工程で空気袋１８を膨張させた際に、空気袋１８の膨張圧に押されて杭体１２の内面１２ａ周方向に隙間なく密着配置できる寸法とする。
【００３７】
次に、図４に示すように、挿入体２２を杭体１２の開口部２６から内部に挿入する。この結果、図５に示すように、挿入体２２は杭体１２の内部に同軸状に配置される。挿入体２２の両端は杭体１２の両端に略揃えて配置する。
【００３８】
次に、図６に示すように、挿入体２２の空気袋１８にバルブ付きチューブ２４を介して空気を入れ、空気袋１８を膨張させることによりシート状材料２０に貼付してある騒音低減材１６を杭体１２の内面１２ａに密着させる。最後に、空気袋１８の空気を抜いて萎ませ、萎ませた空気袋１８を挿入体２２から外部に引き抜いて撤去（除去）する。
【００３９】
このようにすることで、打設時の杭体１２そのものの振動に伴う放射音と、杭体１２内部の反響音を有効に低減する騒音低減型杭１０（図１を参照）を得ることができる。また、棒状の空気袋１８を用いるため、杭径が小さく内部での作業が困難な杭にも適用することができる。
【００４０】
上記の実施の形態において、棒状の空気袋１８の外側に、騒音低減材１６を内表面に貼付したシート状材料２０を巻き付けて挿入体２２を形成する一方、シート状材料２０の外表面に接着材を塗布しておいてもよい。そして、形成した挿入体２２を杭体１２の内部に挿入した後、空気袋１８に空気を入れて空気袋１８を膨張させることによりシート状材料２０を外表面の接着材を介して杭体１２の内面１２ａに接着させ、その後、杭体１２の内部から空気袋１８を除去してもよい。このようにしても、空気袋１８を除去した後も、杭体１２の内面１２ａに接着したシート状材料２０に貼付された騒音低減材１６の形状を保持することができる。また、このようにする代わりに、シート状材料２０の外表面に騒音低減材１６を貼付し、この騒音低減材１６の外表面に接着材を塗布したものを空気袋１８に巻き付けて挿入体２２を形成してもよく、いずれにしても上記と同様の作用効果を奏することができる。
【００４１】
また、上記の実施の形態において、騒音低減材１６を外表面または内表面に貼付したシート状材料２０を空気袋１８に巻き付けて挿入体２２を形成した場合を例にとり説明したが、本発明はこれに限るものではなく、騒音低減材１６自体をシート状に形成したものをシート状材料２０として用いてもよい。
【００４２】
上記の実施の形態において、騒音低減材１６のうち制振材１６Ａと吸音材１６Ｂの少なくとも一方を段ボールなどの生分解可能な材料で構成してもよい。段ボールは、波状に加工した紙を表裏の紙で挟んで接着して強度を持たせた構造であり、加工性に優れた安価な材料である。段ボールの波状の大きさ、形状、組合せ、積層枚数等を適宜調整することで、例えば、杭体１２の長さに合わせた段ボール加工を現場で容易に行うことができ、杭体１２内部への設置が容易になる。また、騒音低減性能の調整が可能となって、所期の騒音低減性能を有する騒音低減型杭１０を安価に得ることができる。
【００４３】
また、本発明に係る杭への騒音低減材の設置方法は、騒音低減材１６を備える挿入体２２を杭体１２の内部に挿入した後で、空気袋１８を膨張させるというシンプルかつ安価な方法で、放射音と反響音の両方の対策が可能であるため、騒音を低減するための費用対効果は比較的高いと考えられる。
【００４４】
以上説明したように、本発明に係る騒音低減型杭によれば、筒状の杭体と、前記杭体の内面に密着して設けられ、前記杭体そのものの振動に伴って発生する放射音を低減するための制振材と、前記杭体の内部の反響音を低減するための吸音材とを備えるので、打設時の杭そのものの振動に伴う放射音と、杭内部の反響音を有効に低減することができる。
【００４５】
また、本発明に係る他の騒音低減型杭によれば、前記制振材と前記吸音材の少なくとも一方が生分解可能な材料からなるので、周辺環境への負荷が少なく、杭体を撤去する場合にも廃棄物の縮減を図ることができる。
【００４６】
また、本発明に係る他の騒音低減型杭によれば、前記生分解可能な材料は、段ボールであるので、騒音低減型杭を安価に得ることができる。
【００４７】
また、本発明に係る杭への騒音低減材の設置方法によれば、筒状の杭体の内部に、前記杭体そのものの振動に伴って発生する放射音を低減するための制振材と、前記杭体の内部の反響音を低減するための吸音材とからなる騒音低減材を設置する杭への騒音低減材の設置方法であって、棒状の空気袋の外側に、前記騒音低減材を有するシート状材料を巻き付けて挿入体を形成し、形成した前記挿入体を前記杭体の内部に挿入した後、前記空気袋に空気を入れて前記空気袋を膨張させることにより前記騒音低減材を前記杭体の内面に密着させるので、打設時の杭そのものの振動に伴う放射音と、杭内部の反響音を有効に低減する騒音低減型杭を提供することができる。また、棒状の空気袋を用いるため、杭径が小さく内部での作業が困難な杭にも適用することができる。
【００４８】
また、本発明に係る他の杭への騒音低減材の設置方法によれば、棒状の空気袋の外側に、前記騒音低減材を有するシート状材料を巻き付けて挿入体を形成する一方、前記シート状材料の外表面に接着材を塗布しておき、形成した前記挿入体を前記杭体の内部に挿入した後、前記空気袋に空気を入れて前記空気袋を膨張させることにより前記騒音低減材を前記接着材を介して前記杭体の内面に密着させ、その後、前記杭体の内部から前記空気袋を除去するので、空気袋を除去した後も、杭体の内面に密着させた騒音低減材の形状を保持することができる。
【００４９】
また、本発明に係る他の杭への騒音低減材の設置方法によれば、前記制振材と前記吸音材の少なくとも一方が生分解可能な材料からなるので、周辺環境への負荷が少なく、杭体を撤去する場合にも廃棄物の縮減を図ることができる。
【００５０】
また、本発明に係る他の杭への騒音低減材の設置方法によれば、前記生分解可能な材料は、段ボールであるので、杭の長さに合わせた段ボール加工を現場で容易に行うことができる。
【産業上の利用可能性】
【００５１】
以上のように、本発明に係る騒音低減型杭および杭への騒音低減材の設置方法は、鋼管杭などの杭の打設時に発生する騒音を低減するのに有用であり、特に、打設時の杭そのものの振動に伴う放射音と、杭内部の反響音を有効に低減するのに適している。
【符号の説明】
【００５２】
１０  騒音低減型杭
１２  杭体
１２ａ  内面
１４  鋼管杭
１６  騒音低減材
１６Ａ  制振材
１６Ｂ  吸音材
１８  空気袋
２０  シート状材料
２２  挿入体
２４  バルブ付きチューブ
２６  開口部
【図１】
0006707349.tif 000002
【図２】
0006707349.tif 000003
【図３】
0006707349.tif 000004
【図４】
0006707349.tif 000005
【図５】
0006707349.tif 000006
【図６】
0006707349.tif 000007